(57)【要約】      （修正有）【課題】多機能装置上で文書をモバイル端末からビルドジョブに差し込むためのシステムおよび方法を提供する。【解決手段】携帯型コンピュータ装置は、多機能装置に動作可能に接続する。多機能装置を用いて、多機能装置内でジョブを組み立てるための走査源を特定する。これらの走査源には、多機能装置のスキャナ機能および携帯型コンピュータ装置が含まれる。これらの走査源のうちの１つを用いて、第１のジョブセグメントを多機能装置に入力し、プログラムする。第１のジョブセグメントをプログラムした後、多機能装置を用いて、次のジョブセグメントの入力を促す。多機能装置を用いて、走査源のうちの１つから、次のジョブセグメントを取得する。第１のジョブセグメントを含む既存のジョブに、次のジョブセグメントを加える。このジョブに関する最終文書を組み立てる。ジョブを終了し、多機能装置から出力する。【選択図】図３
2016220199.tif 000002
【特許請求の範囲】
【請求項１】
第１の走査源を用いて、第１の文書画像を多機能装置に入力するステップであって、前記第１の走査源には、前記多機能装置に関連するスキャナ、および携帯型コンピュータ装置のうちの一方が含まれ、前記携帯型コンピュータ装置が、前記多機能装置に無線接続する、ステップと、
前記第１の文書画像をジョブに加えるステップと、
第２の走査源を用いて、前記ジョブに加えるための第２の文書画像を特定するステップであって、前記第２の走査源には、前記多機能装置に関連する前記スキャナ、および前記携帯型コンピュータ装置のうちの一方が含まれる、ステップと、
前記第２の文書画像を前記ジョブに加えるステップと、
前記多機能装置を用いて、最終文書を組み立てるステップであって、前記最終文書には、前記第１の文書画像および前記第２の文書画像が含まれる、ステップと、
前記多機能装置を用いて、前記最終文書を含む前記ジョブに関するジョブチケットを生成するステップと、
前記多機能装置から前記ジョブを出力するステップと、
を含む方法。
【請求項２】
前記携帯型コンピュータ装置が、前記走査源であることを受けて、
前記携帯型コンピュータ装置のメモリ内の文書を特定するステップと、
前記ジョブに加えるための前記文書を前記携帯型コンピュータ装置上で選択するステップと、
前記文書の画像を前記携帯型コンピュータ装置から前記多機能装置に転送するステップと、
をさらに含む請求項１に記載の方法。
【請求項３】
前記多機能装置から前記ジョブを出力するステップには、ファックスにより、前記最終文書を送信することと、インターネットファックスにより、前記最終文書を送信することと、ネットワーク転送により、前記最終文書を送信することと、Ｅメールにより、前記最終文書を送信することと、携帯型記憶装置に前記最終文書を格納することと、前記最終文書を印刷することと、のうちの１つが含まれる、請求項１に記載の方法。
【請求項４】
前記携帯型コンピュータ装置には、携帯電話、ラップトップ・コンピュータ、ノートブック・コンピュータ、およびタブレットのうちの１つが含まれる、請求項１に記載の方法。
【請求項５】
携帯型コンピュータ装置を多機能装置に動作可能に接続させるステップと、
前記多機能装置を用いて、前記多機能装置上でジョブを組み立てるための走査源を特定するステップであって、前記走査源には、前記多機能装置のスキャナ機能、および前記携帯型コンピュータ装置が含まれる、ステップと、
前記走査源のうちの１つを用いて、第１のジョブセグメントを入力し、前記多機能装置上でプログラムするステップと、
前記第１のジョブセグメントをプログラムした後、前記多機能装置を用いて、次のジョブセグメントを促すステップと、
前前記多機能装置を用いて、前記走査源のうちの前記１つから前記次のジョブセグメントを取得するステップと、
前記多機能装置を用いて、前記走査源のうちの前記１つからの前記次のジョブセグメントを、前記第１のジョブセグメントを含む既存のジョブに加えるステップと、
前記多機能装置を用いて、前記ジョブに関する最終文書を組み立てるステップと、
前記ジョブを終了するステップと、
前記多機能装置から前記ジョブを出力するステップと、
を含む方法。
【請求項６】
前記走査源のうちの１つを用いて、第３のジョブセグメントを入力し、前記多機能装置上でプログラムするステップと、
前記第３のジョブセグメントを、前記第１のジョブセグメントおよび前記次のジョブセグメントを含む前記既存のジョブに加えるステップと、
をさらに含む請求項５に記載の方法。
【請求項７】
各セグメントが入力され、プログラムされた後、前記多機能装置が、前記ジョブの追加のセグメントを促すステップをさらに含む請求項６に記載の方法。
【請求項８】
システムであって、
多機能装置であって、
プロセッサと、
前記プロセッサに動作可能に接続するスキャナを備える第１の走査源と、
前記プロセッサに動作可能に接続するグラフィック・ユーザ・インターフェースと、
無線ネットワーク接続部を含む入力／出力接続部と、を含む多機能装置と、
携帯型コンピュータ装置上で動くアプリケーションであって、前記携帯型コンピュータ装置が、前記多機能装置に無線接続し、前記携帯型コンピュータ装置が、文書を格納するメモリを備える第２の走査源を含み、前記アプリケーションが、ジョブを組み立てるための、前記メモリ内の文書の特定を可能にする、アプリケーションと、を含み、
前記プロセッサが、前記第１の走査源および前記第２の走査源のうちの一方から第１のジョブセグメントを取得し、
前記第１のジョブセグメントを取得した後、前記プロセッサが、前記グラフィック・ユーザ・インターフェースを用いて、次のジョブセグメントの入力を促し、
前記プロセッサが、前記第１の走査源および前記第２の走査源のうちの一方から、前記次のジョブセグメントを取得し、
前記プロセッサが、前記第１のジョブセグメントを含む既存のジョブに、前記次のジョブセグメントを加え、
前記プロセッサが、前記第１のジョブセグメントからの第１の文書画像と、前記次のジョブセグメントからの第２の文書画像と、を含む最終文書を組み立て、
前記プロセッサが、前記多機能装置から前記ジョブを出力する、システム。
【請求項９】
前記入力／出力接続部が、前記携帯型コンピュータ装置を前記多機能装置に動作可能に接続させる、請求項８に記載のシステム。
【請求項１０】
前記アプリケーションが、前記携帯型コンピュータ装置に、前記携帯型コンピュータ装置から前記多機能装置に前記メモリ内の前記文書を転送させる、請求項８に記載のシステム。
【発明の詳細な説明】
【技術分野】
【０００１】
本明細書のシステムおよび方法は、一般に、印刷エンジンおよびスキャナを備える多機能装置に関し、より詳細には、ローカルスキャナから取得した複数のジョブセグメントと、モバイル端末から取得した複数のジョブセグメントとを組み合わせることに関する。
【背景技術】
【０００２】
スキャナを用いてジョブを生成する場合、画像担持文書を走査して、文書上の画像を画像データに変換し、この画像データを用いて、印刷物を作成する、あるいは、ネットワークを介して送信する。モバイル端末内に格納された画像または他の文書を、ハードコピー文書と組み合わせ、多機能装置内に読み込む場合、ユーザは、まず、それらの文書を印刷し、手作業で丁合し、ハードコピーの原文のスタック内の所望の位置に差し込まなければならない。そして最後に、ハードコピーのシートのフルスタックを多機能装置内に読み込むことができる。モバイル端末から文書を最初に印刷し、次いで、他のハードコピーシートと並べなければならないことは、リソースと時間の無駄であり、モバイル端末からの画像は不必要に劣化する。
【０００３】
あるいは、ユーザは、全てのハードコピー文書を走査して、全ての画像（多機能装置により走査される画像とモバイル端末内に格納されている画像の両方）を１箇所に移し、そこで、これらの画像を１つの文書に差し込み、その文書内で画像を編集し、次いで、その文書をファイル転送／Ｅメール送信／ファックス送信／印刷することができる。この場合、画質とリソースは維持されるが、複数のステップが必要となってしまう。
【発明の概要】
【課題を解決するための手段】
【０００４】
本明細書で開示される方法の一態様では、モバイル端末などの携帯型コンピュータ装置が、多機能装置内で文書を組み立てるための第２の文書画像供給源として用いられる。ある文書は、多機能装置内に読み込むことにより取得することができ、ある文書はネットワーク内の供給源から取得することができる。多機能装置内で文書が組み立てられると、多機能装置は、利用可能な出力方法（印刷、ファックス、Ｅメール、ファイルサーバなど）のうちの１つへと、完成した文書を出力する。
【０００５】
本明細書のシステムおよび方法を用いることにより、ユーザは、モバイル端末内の文書を最初に印刷し丁合する手間を省くことができる。本明細書で開示されている通り、ユーザは、そのまま文書をモバイル端末から多機能装置に送信し、多機能装置のスキャナの使用を必要とする任意のジョブ（例えば、コピー、ネットワークスキャン、ファックス）にそれらの文書を差し込むことができる。モバイル端末は、多機能装置の代替走査源として機能することができる。すなわち、任意の走査に関連するジョブ（または、ジョブが別々に走査された複数の文書からなる「ビルドジョブ」の場合、任意の走査セグメント）をプログラムするとき、利用可能な文書供給源のリストがユーザに提示される。この供給源のリストには、多機能装置に取り付けられたスキャナに加え、ユーザが携帯するモバイル端末も含まれる。本明細書で開示する方法を用いることにより、ユーザは、モバイル端末の文書を最初に印刷し丁合する手間を省くことができ、これにより、リソースと時間を節約するとともに、文書の画質も維持可能となる。
【０００６】
本明細書に記載の方法によれば、第１の走査源を用いて、第１の文書画像を多機能装置に入力する。第１の走査源には、多機能装置に関連するスキャナ、および携帯型コンピュータ装置のうちの一方が含まれる。携帯型コンピュータ装置は、多機能装置に無線接続する。第１の文書画像をジョブに加える。第２の走査源を用いて、ジョブに加えるための第２の文書画像を特定する。第２の走査源には、多機能装置に関連するスキャナ、および携帯型コンピュータ装置のうちの一方が含まれる。第２の文書画像をジョブに加える。多機能装置を用いて、最終文書を組み立てる。最終文書には、第１の文書画像および第２の文書画像が含まれる。多機能装置を用いて、このジョブに関するジョブチケットを生成する。このジョブチケットには、最終文書が含まれる。多機能装置からジョブを出力する。
【０００７】
本明細書に記載の別の方法によれば、携帯型コンピュータ装置は、多機能装置に動作可能に接続する。多機能装置を用いて、多機能装置上でジョブを組み立てるための走査源を特定する。これらの走査源には、多機能装置のスキャナ機能、および携帯型コンピュータ装置が含まれる。走査源のうちの１つを用いて、第１のジョブセグメントを入力し、多機能装置上でプログラムする。第１のジョブセグメントをプログラムした後、多機能装置を用いて、次のジョブセグメントの入力を促す。多機能装置を用いて、走査源のうちの１つから次のジョブセグメントを取得する。走査源のうちの１つから取得した次のジョブセグメントを、第１のジョブセグメントを含む既存のジョブに加える。多機能装置を用いて、このジョブに関する最終文書を組み立てる。ジョブを終了する。多能装置からジョブを出力する。
【０００８】
システムによれば、多機能装置はプロセッサを含む。第１の走査源は、スキャナを備え、プロセッサに動作可能に接続する。グラフィック・ユーザ・インターフェースは、プロセッサに動作可能に接続する。多機能装置は、無線ネットワーク接続部を備える入力／出力接続部を含む。このシステムは、携帯型コンピュータ装置上で動くアプリケーションを含む。携帯型コンピュータ装置は、多機能装置に無線接続する。携帯型コンピュータ装置は、文書を格納するメモリを備える第２の走査源を含む。アプリケーションが、ジョブを組み立てるための、メモリ内の文書の特定を可能にする。プロセッサは、第１の走査源および第２の走査源のうちの一方から、第１のジョブセグメントを取得する。第１のジョブセグメントを取得した後、プロセッサは、グラフィック・ユーザ・インターフェースを用いて、次のジョブセグメントの入力を促す。プロセッサは、第１の走査源および第２の走査源のうちの一方から、次のジョブセグメントを取得する。プロセッサは、第１のジョブセグメントを含む既存のジョブに、次のジョブセグメントを加える。プロセッサは、第１のジョブセグメントからの第１の文書画像、および次のジョブセグメントからの第２の文書画像を含む最終文書を組み立てる。プロセッサは、多機能装置からジョブを出力する。
【０００９】
これらの特徴およびその他の特徴は、以下の詳細な説明より明らかとなる。
【００１０】
次に、添付図面を参照して、システムおよび方法の様々な例を詳細に説明するが、これらの図面の縮尺は、必ずしも同じではない。
【図面の簡単な説明】
【００１１】
【図１】図１は、本明細書のシステムおよび方法による、多機能装置の側面概略図である。
【図２】図２は、本明細書のシステムおよび方法による、携帯型コンピュータ装置のブロック図である。
【図３】図３は、本明細書の方法を示す流れ図である。
【図４】図４は、本明細書のシステムおよび方法による、セグメント走査源を機能的に示す図である。
【図５】図５は、本明細書のシステムおよび方法を示す概略図である。
【発明を実施するための形態】
【００１２】
次に、多機能装置および携帯型コンピュータ装置を参照して本開示を説明する。この携帯型コンピュータ装置は、携帯型コンピュータ装置内の文書を特定するためのアプリケーションを含む。以下に、特定のシステムおよび方法に関連して本開示を説明するが、このような特定のシステムおよび方法により本開示が限定されることを意図していないことは理解されよう。それどころか、本開示は、添付の請求項により規定された本開示の趣旨および範囲に含まれる全ての代替形態、修正形態、および等価形態に及ぶことを意図する。
【００１３】
本開示の特徴の一般的な理解を得るために図面を参照する。これらの図面では、全体を通して同一の要素を示すために同様の参照符号が用いられる。
【００１４】
図１には、本明細書のシステムおよび方法で使用可能な多機能装置１０１が示されており、この多機能装置は、例えば、プリンタ、複写機、ファックス装置を備えることができる。多機能装置１０１は、制御装置／プロセッサ１０４と、制御装置／プロセッサ１０４に動作可能に接続する入力／出力部１１０と、を含む。この制御装置／プロセッサ１０４は、入力／出力部１１０の通信ポートを介して、多機能装置１０１の外部のコンピュータネットワーク５０２（図５に示されているような）に接続可能であるが、これに関しては後述する。さらに、多機能装置１０１は、グラフィック・ユーザ・インターフェース組立体（ＧＵＩ）１１３などの、少なくとも１つの付属の機能的構成要素を備えることができる。ＧＵＩ１１３は、ジョブを提出するための共通のインターフェースとして機能し、電力供給部１１６から供給される電力で動作する。外部電源１１９は、電力供給部１１６を介して多機能装置１０１に電力を供給することができる。入力／出力部１１０は、多機能装置１０１が外部の装置と通信するために用いられる。制御装置／プロセッサ１０４は、多機能装置１０１の種々の動作を制御する。
【００１５】
多機能装置１０１は、制御装置／プロセッサ１０４に動作可能に接続する少なくとも１つのマーキング装置１２２（時には、印刷エンジンとも呼ばれる）を含むことができる。媒体経路１２５は、例えば、この媒体経路１２５に沿って、媒体供給部１２８からマーキング装置（複数可）１２２に媒体シートを供給するよう配置される。印刷エンジン（複数可）から種々のマーキング材料を受け取った後、媒体シートは、仕上げ装置１３１に随意的に渡され、この仕上げ装置１３１が、種々の印刷済みシートに対し、折り畳み、ホチキス留め、ソートなどを行うことができる。
【００１６】
さらに、マーキング装置１２２は、画像をレンダリングすることができる任意の装置である。マーキング装置の集合には、商業的に広く知られているデジタル文書再生装置およびその他の複写機システム、写真作成および再生装置、モニタおよびその他のディスプレイ、コンピュータのワークステーションおよびサーバなどが含まれ、これらには、多種多様のカラーマーキング装置が含まれる。
【００１７】
画像をレンダリングするために、画像データ（またはその信号）を可視形態に減らし、その後の検索のためにその画像データをメモリまたは記憶装置に格納し、その画像データを別の装置に通信することができる。このような通信は、ネットワークを介して画像データのデジタル信号を送信する形態を取ることができる。
【００１８】
さらに、多機能装置１０１は、少なくとも１つの付属の機能的構成要素（スキャナ／文書ハンドラ１３４、ファックス・モジュール１３７などの）を含むことができ、これらの機能的構成要素も、外部電源１１９から供給される電力（電力供給部１１６を介して）で動作する。ファックス・モジュール１３７は、スキャナ／文書ハンドラ１３４と関連して動作可能である。
【００１９】
スキャナ／文書ハンドラ１３４は、画像から情報を取得することができる任意の画像入力装置でよい。画像入力装置の集合は、例えば、デジタル文書装置、コンピュータ・システム、メモリおよび記憶装置、供給装置から画素値を取得可能なサーバおよびクライアント装置などのネットワークで接続されたプラットフォーム、および画像取り込み装置などの多種多様な装置を包含するよう意図される。画像取り込み装置の集合には、スキャナ、カメラ、写真撮影装置、ファクシミリ、写真再生装置、デジタル印刷プレス、乾式複写装置などが含まれる。スキャナは、画像や印刷媒体などを光学的に走査し、走査された画像をデジタル形式に変換する画像取り込み装置である。一般的なスキャニング装置は、当技術分野では広く知られている、種々のフラットベッドスキャナを含み、特別な受像器がガラス板の真下を移動し、ガラス板の上に載せられた媒体を走査する。最新のデジタルスキャナは、通常、画像検知レセプタ（複数可）として電荷結合素子（ＣＣＤ）または接触画像センサ（ＣＩＳ）を組み込んでいる。スキャニング装置は、走査された画像データの信号を生成する。そのようなデジタル信号には、色値、輝度、走査画像内の位置などの画素に関する情報が含まれる。
【００２０】
多機能装置１０１は、非一時的なコンピュータ記憶媒体１４０（光学ベース、磁気ベース、キャパシタベースなどの）も含むことができる。この非一時的なコンピュータ記憶媒体１４０は、制御装置／プロセッサ１０４により、読取り可能で、命令を格納する。これらの命令が、制御装置／プロセッサ１０４により実行されると、多機能装置１０１は、本明細書に記載されるような様々な機能を実行することができる。
【００２１】
本明細書のシステムおよび方法によると、制御装置／プロセッサ１０４は、画像データの処理に特化した専用プロセッサ、およびジョブ作成動作の制御および文書画像データの処理に特化した特定用途向け集積回路（ＡＳＩＣ）を有するため、汎用プロセッサのようには動作しない専用のプロセッサを含むことができる。一例では、多機能装置１０１は、文書処理命令を提供する固有のＡＳＩＣを有する専用処理カードを含む専用マシンであり、ネットワーク通信処理を高速化するための入出力装置のための固有のＡＳＩＣを有する専用基板、および専用の固有のハードウェア論理回路を用いて、本明細書に記載の方法の論理演算を実行する専用のＡＳＩＣプロセッサなどを含む。制御装置／プロセッサ１０４は、ラスター画像プロセッサ（ＲＩＰ）を含むことができることも考えられる。ラスター画像プロセッサは、元の画像の記述を用いて、印刷ジョブをラスター画像化する。したがって、ビルドジョブの命令データは、プリンタ可読言語に変換される。通常、ジョブの記述を用いて、印刷可能ファイルを生成する。この印刷可能ファイルは、複数の（および、その後の）パスのために、繰り返しアクセス可能な圧縮ファイルでよい。
【００２２】
本明細書で使用される制御装置／プロセッサ１０４には、下記のシステム動作を実行するよう適応した（すなわち、プログラムされた、あるいは、構成された、など）コンピュータ処理装置が含まれることは理解されよう。本明細書のシステムおよび方法によれば、制御装置／プロセッサ１０４は、プログラムマブルミニコンピュータ、独立型ミニコンピュータ、専用ミニコンピュータを含む。これらのコンピュータ処理装置の詳細は、簡潔さと、読者の集中のために、本明細書では議論しない。
【００２３】
したがって、図１に示される通り、装置筺体１４３は、１つ以上の機能的構成要素を含み、これらの構成要素は、交流（ＡＣ）電源を含み得る外部電源１１９から、電力供給部１１６を介して、供給される電力で動作する。この電力供給部１１６は、蓄電要素（例えば、バッテリ）を含むことができ、外部電源１１９に接続する。電力供給部１１６は、多機能装置１０１の種々の構成部品が必要とする電力の種類に外部電力を変換する。
【００２４】
当業者なら理解されようが、図１に示される多機能装置１０１は一例に過ぎず、本明細書のシステムおよび方法は、より少ない構成部品、または、より多い構成部品を含み得る、異なる種類の文書処理装置にも同様に適用可能である。例えば、図１には、限られた数の印刷エンジンおよび用紙経路が示されているが、本明細書のシステムおよび方法で使用される任意の印刷装置には、より多くの用紙経路および付加的な印刷エンジンが含まれ得ることは、当業者なら理解されよう。
【００２５】
図２には、本明細書のシステムおよび方法による、携帯型コンピュータ装置２０２のブロック図が示されている。この携帯型コンピュータ装置２０２は、筺体２０５内に収納された、いくつかの構成部品を含む。筺体２０５は、記憶装置２１１に動作可能に接続するプロセッサ２０８を含む。この記憶装置２１１には、プロセッサ２０８により読取り可能で、かつ実行可能なプログラムコードが格納されているが、これについては、後程さらに詳細に説明する。
【００２６】
本明細書で使用されるプロセッサ２０８には、下記のシステム動作を実行するよう適応した（すなわち、プログラムされた、あるいは、構成された、など）コンピュータ処理装置が含まれることは理解されよう。本明細書のシステムおよび方法によると、プロセッサ２０８は、プログラムマブルミニコンピュータ、独立型ミニコンピュータ、専用ミニコンピュータを含む。これらのコンピュータ処理装置の詳細は、簡潔さと、読者の集中のために、本明細書では議論しない。
【００２７】
携帯型コンピュータ装置２０２は、ディスプレイ装置２１４を含み、このディスプレイ装置２１４が、ユーザインターフェース（ＵＩ）を提供し、かつ、携帯型コンピュータ装置２０２用のメイン制御インターフェースとして機能することができる。ディスプレイ装置２１４は、タッチ可能スクリーンを含むグラフィック・ユーザ・インターフェースでよく、このタッチ可能スクリーンが、ユーザと携帯型コンピュータ装置２０２の対話のための、メインゴー・トゥ・ポイントとなり得る。このディスプレイ装置２１４は、携帯型コンピュータ装置に対して好適なサイズでなければならず、この携帯型コンピュータ装置には、スマートフォンなどの携帯電話、ラップトップ・コンピュータ、ノートブック・コンピュータ、タブレット装置、または、現在知られている、あるいは、将来開発される、その他の全ての好適な装置が含まれ得る。
【００２８】
このディスプレイ装置２１４は、プロセッサ２０８に動作可能に接続する入力受信器２１７を含むことができる。入力受信器２１７は、プロセッサ２０８により実行されるために選択されるアプリケーションの選択を受信する。例えば、ユーザは、文書を検索し、ディスプレイ装置２１４上の適切なアイコンを選択することにより、この文書を選択することができるが、これに関しては、後程さらに詳細に説明する。ユーザは、ディスプレイ装置２１４の入力受信器２１７を用いて、ジョブに加える文書を選択することができる。
【００２９】
図２に示される通り、この携帯型コンピュータ装置２０２は、送信器２２３および受信器２２６を有する通信装置２２０などの入力／出力接続部をさらに含む。この送信器２２３は、プロセッサ２０８に動作可能に接続する。送信器２２３は、電磁信号を受信者に送信する。例えば、文書を多機能装置１０１に送信する。この受信器２２６は、プロセッサ２０８に動作可能に接続する。受信器２２６は、携帯型コンピュータ装置２０２に着信する電磁信号を受信する。通信装置２２０は、有線技術または無線技術を用いた、様々な通信技術を実行可能であり得る。
【００３０】
プロセッサ２０８に動作可能に接続するカメラ２２９またはその他の画像取得装置も、携帯型コンピュータ装置２０２に含まれ得る。さらに、携帯型コンピュータ装置２０２は、電話のアプリケーション２３２、ＧＰＳのアプリケーション２３５なども含むことができ、これらも、プロセッサ２０８に動作可能に接続することができる。
【００３１】
本明細書のシステムおよび方法によると、携帯型コンピュータ装置２０２には、スマートフォンなどの携帯電話、ラップトップ・コンピュータ、ノートブック・コンピュータ、タブレット・コンピュータ、または、現在知られている、あるいは、将来開発される、その他の全ての好適な装置が含まれ得る。スマートフォン、ラップトップ・コンピュータ、ノートブック・コンピュータ、およびタブレット装置は、通常、入力／出力部、電力供給部、プロセッサ、電子記憶装置、配線などを含むが、それらの詳細は、本明細書のシステムおよび方法の最も重要な態様に読者が集中できるよう省略する。
【００３２】
通常、図１に示されているような多機能装置は、全ての機能を備える。これらの様々な機能により、ジョブで実行される１つ以上の機能が提供される。例えば、ジョブには、記憶装置の画像入力部に画像を取り込むことが含まれ得る。画像には、著しい量の画像処理が施され、画像に関するアーチファクトが最小限に抑えられ得、かつ、ジョブが適切に格納された後、種々の電子ページを編集することができる。格納されているジョブを出力した後、このジョブのハードコピーバージョンに、ホチキス留め、折り畳み、およびトリミングなどの数多くの仕上げ動作が実行されて、その外見を最適化することができる。
【００３３】
所与のジョブの複雑さを考慮して、セグメント単位でジョブを「組み立てる」ことが望ましい。ジョブの様々な部分をセグメントごとに別々に作成し、システム内に読み込まれるときに、これらを組み合わせて種々のコンテンツをジョブに追加する。すなわち、ジョブが現在読み込まれている状態で、いくつもの付加的な文書または文書のグループを読み込むことができる。本開示では、１つ以上のセグメントに関する文書の走査源としてモバイル端末が用いられる。所望のセグメントが全て加えられると、ＥＮＤ  ＪＯＢのアイコンが選択され、ジョブはさらなる処理を施されるためメモリ部分に格納される。以下に、処理の一例を説明する。
【００３４】
ユーザは、１つ以上の電子文書をモバイル端末（時として、本明細書では携帯型コンピュータ装置２０２と呼ぶ）に格納することができる。この文書は、携帯型コンピュータ装置２０２のカメラ２２９により撮られた写真を含むことができる。この例では、文書および／または写真を用いて、Ｅメール送信されるレポートを組み立てる。さらに、ユーザは、同じレポートに組み込まれる他の文書のハードコピーを有する。ハードコピー文書のうちの１つで始まり、モバイル端末からの電子文書のうちの１つ、および、別のハードコピー文書がその後に続き、最後にモバイル端末からの写真を加えることにより、ユーザはこのレポートを組み立てる。
【００３５】
ユーザは、電子文書を格納したモバイル端末を携えて、多機能装置１０１のところに行き、「ビルドジョブ」（すなわち、単一のジョブ内に組み合わされる複数の別々の走査セグメントから成るジョブ）を読み込んでＥメールで送信するために、マシンをプログラムする。多機能装置１０１は、携帯型コンピュータ装置２０２を自動的に検知し、ＧＵＩ１１３上に提示される走査源のリストに取り込む。多機能装置１０１のスキャナ／文書ハンドラ１３４、および携帯型コンピュータ装置２０２が、選択肢として走査源のリスト内に現れる。
【００３６】
すでに「ビルドジョブ」を選択したユーザは、第１の走査セグメント用の走査源として、スキャナ／文書ハンドラ１３４を選択する。ユーザは、好適な文書を文書ハンドラ内に置き、＜スタート＞ボタンを押す。多機能装置１０１は、スキャナ／文書ハンドラ１３４内のシートを読み込み始める。全てのシートが読み込まれた後、多機能装置１０１は、第２の走査セグメントを入力する、あるいは、入力を終了しジョブの処理を開始するよう、ユーザを促す。
【００３７】
この例では、ユーザは、新しい走査セグメントの作成を選び、選択走査源として携帯型コンピュータ装置２０２を選択する。ユーザは、多機能装置１０１のＧＵＩ１１３または携帯型コンピュータ装置２０２のディスプレイ装置２１４のどちらかを用いて好適な文書を特定する。ユーザが、＜スタート＞ボタンを押すと、選択された文書が、モバイル端末から多機能装置１０１に自動的に転送され、全ての構成画像が、まるで多機能装置１０１に読み込まれていたようにビルドジョブに差し込まれる。全ての文書が転送されると、多機能装置１０１は再び、第３の走査セグメントを入力する、あるいは、入力を終了しジョブの処理を開始するよう、ユーザを促す。
【００３８】
この例では、ユーザは、新しい走査セグメントの作成を選び、新しい走査セグメントの選択走査源として、多機能装置１０１のスキャナ／文書ハンドラ１３４を選択する。ユーザは、再度、好適な文書を文書ハンドラ内に置き、＜スタート＞ボタンを押す。多機能装置１０１は、再び、スキャナ／文書ハンドラ１３４内のシートを読み込み始める。全てのシートが読み込まれると、多機能装置１０１は、第４の走査セグメントを入力する、あるいは、入力を終了しジョブの処理を開始するよう、ユーザを促す。
【００３９】
ユーザは、もう１回、新しい走査セグメントの作成を選び、選択走査源として携帯型コンピュータ装置２０２を選択する。例示のこのステップでは、ユーザは、多機能装置１０１のＧＵＩ１１３または携帯型コンピュータ装置２０２のディスプレイ装置２１４のどちらかを用いて、全ての所望の写真を所望の順番で選択する。ユーザが＜スタート＞ボタンを押すと、選択された写真は、選択された順番で、モバイル端末から多機能装置１０１に自動的に転送される。この例では、各写真は、まるで多機能装置１０１に読み込まれていたように、ビルドジョブに差し込まれる。全ての写真が転送されると、多機能装置１０１は、第５の走査セグメントを入力する、あるいは、入力を終了しジョブの処理を開始するよう、ユーザを促す。
【００４０】
ユーザは、最終的に、入力を終了しジョブの処理を開始することを選択する。この例では、次に、多機能装置１０１は、選択した全ての受信者にこのジョブをＥメールで送信する。ユーザは、「通常の」ビルドジョブのための作業を完了し、これ以外の作業を行わないため、マシンから離れる。
【００４１】
上記の例では、最初のハードコピーが多機能装置１０１に読み込まれ、携帯型コンピュータ装置２０２からの走査セグメントがそれに続くなど、４つの走査セグメントを用いて説明されているが、明細書に記載されるシステムおよび方法は、文書（またはセグメント）の数、およびそれらの文書の順番には限定されないことは当業者なら理解されるであろう。例えば、第１の文書（セグメント）はモバイル端末から転送されたＭＳワード文書であり得、文書（セグメント）２〜２８はそれぞれ多機能装置１０１上で走査された文書であり得、文書（セグメント）２９〜４２はモバイル端末から転送された別々の文書であり得、文書（セグメント）４３は多機能装置１０１上で走査された文書であり得る、ことが考えられる。したがって、多機能装置１０１上でジョブを組み立てるために、様々なセグメントに関する種々の走査源を認めるよう請求項は解釈されるものとする。
【００４２】
さらに、上記の例では、Ｅメールによりジョブを出力するが、多機能装置１０１が、ファックスによる出力の送信、インターネットファックスによる出力の送信、ネットワーク転送による出力の送信、Ｅメールによる出力の送信、携帯型記憶装置（例えば、ＵＳＢドライブ）への出力の格納、および印刷などの多くの出力タイプに対応可能であることは当業者なら理解されよう。これらの出力には、現在知られている、あるいは、将来開発される、全ての技術が含まれ得ることが考えられる。
【００４３】
図３には、本明細書のシステムおよび方法に従った、例示的な方法の処理フローの流れ図が示されている。ステップ３０５で、携帯型コンピュータ装置を多機能装置に動作可能に接続する。本明細書のシステムおよび方法によれば、携帯型コンピュータ装置は、多機能装置に無線接続することができる。ステップ３１０で、多機能装置を用いて、多機能装置上でジョブを組み立てるための走査源を特定する。これらの走査源には、多機能装置のスキャナ機能、および携帯型コンピュータ装置が含まれる。ステップ３１５で、第１のジョブセグメントを入力し、多機能装置上でプログラムする。このステップでは、これらの走査源のうちの１つを用いて、第１の文書画像を多機能装置に入力することができる。次いで、第１の文書画像をジョブに加える。ステップ３２０で、第１のジョブセグメントをプログラムした後、多機能装置を用いて、次のジョブセグメントの入力を促す。ステップ３２５で、多機能装置を用いて、走査源のうちの１つから次のジョブセグメントを取得する。このステップでは、ジョブに加えるために、第２の文書画像を特定する。ステップ３３０で、第２の文書画像を含む次のジョブセグメントを、第１のジョブセグメントを含む既存のジョブに加え、多機能装置上でプログラムする。ステップ３３５で、多機能装置を用いて、最終文書を組み立てる。最終文書には、第１の文書画像および第２の文書画像が含まれる。ステップ３４０で、ジョブの組立を終了する。ステップ３４５で、多機能装置を用いて、そのジョブに関するジョブチケットを生成する。ジョブチケットには、最終文書が含まれる。ステップ３５０で、多機能装置からジョブを出力する。
【００４４】
図４は、セグメント走査源どうしの関係を機能的に示す図である。多機能装置１０１は、ＧＵＩ１１３上に使用可能な走査源を表示する。多機能装置１０１にユーザが近づくと、多機能装置１０１は、スキャナ／文書ハンドラ１３４に加えて、走査源リストとして携帯型コンピュータ装置２０２を自動的に検知する。すなわち、多機能装置１０１のスキャナ／文書ハンドラ１３４、および携帯型コンピュータ装置２０２が走査源リスト内に選択肢として現れる。多機能装置１０１上で文書が組み立てられた後、多機能装置１０１は、使用可能な出力方法４１４（印刷、ファックス、インターネットファックス、Ｅメール、ネットワーク転送、ＵＳＢドライブ、ファイルサーバなど）を用いて、組み立てられた文書を出力することができる。
【００４５】
図５に示される通り、例示的なプリンタ、複写機、多機能装置、および多機能装置（ＭＦＤ）１０１を様々な物理的位置５０６を配置することができる。本明細書のシステムおよび方法による、その他の装置には、種々のコンピュータ処理装置５０８が含まれ得る。これらのコンピュータ処理装置５０８には、印刷サーバ、印刷装置、パーソナルコンピュータなどが含まれ得、これらは、ネットワーク５０２を介して通信する（互いに動作可能に接続する）。ネットワーク５０２は、ローカルエリアネットワーク（ＬＡＮ）、ワイドエリアネットワーク（ＷＡＮ）、インターネットなどのグローバルコンピュータネットワークを含む全ての種類のネットワークでよい。
【００４６】
添付図面には、いくつかの例示的な構造が示されているが、これらの図面は簡略化された概略図であり、図示されていないが、これらの装置およびシステムで、一般的に用いられる、さらに多くの（あるいは、場合によっては、さらに少ない）機能が、下記の請求項により包含されることは当業者には理解されよう。したがって、添付図面は、下記の請求項を限定する意図はなく、その代わり、請求されている機能を実施可能な、いくつかの方法を単に示すために提供されているだけである。
【００４７】
本明細書に記載のハードウェアは、単にソリューションをより素早く実行するための機構として機能するだけでなく（すなわち、分析および計算を実行するコンピュータを用いて）、上記の方法を可能にする上で重要な役割を果たす。例えば、これらの方法により、モバイルユーザは、モバイル端末内の文書または写真を別々に印刷し走査する必要なしに、複数の供給源からの多くの種類の文書を作成することができる。したがって、モバイル端末から多機能装置に文書を転送する処理、個々の走査セグメントを作成する処理、さらに出力する最終文書を組み立てる処理では、文書へのアクセス、および文書の処理の両方に関してコンピュータ化されたプロセッサの使用が必要である。
【００４８】
当業者なら理解されようが、本明細書に記載の処理を人間が単独で実行することはできず（すなわち、ペンとメモ帳を用いて）、マシンを用いてのみ実行可能である。具体的には、走査、印刷、文書の組立て、印刷チケットの作成などの処理には、別々の専用マシンの利用が必要である。したがって、例えば、本明細書の装置により実行される、複数の走査セグメントを作成する処理、文書画像を携帯型コンピュータ装置から多機能装置に転送する処理、および、文書を組み立てる処理を、手動で実行することはできず（文書処理を実行するためにはマシンが必要であるため）、これらの装置は本明細書の方法で実行される処理と一体である。さらに、自動走査、および各文書の組立ては、本明細書に記載の処理のステップと一体であるため、マシンだけによる処理は、単なる「ソリューション後の動作（ｐｏｓｔ−ｓｏｌｕｔｉｏｎ  ａｃｔｉｖｉｔｙ）」ではない。同様に、データの走査および転送には、汎用プロセッサとは異なる専用装置（通信機器、ルータ、スイッチなど）が必要である。すなわち、本明細書の方法は、これらのマシンなしでは実行できないため（かつ、人間だけは実行できないため）、これらの種々のマシンは、本明細書の方法と一体である。
【００４９】
次に、種々のシステムおよび方法による、方法、装置（システム）、およびコンピュータプログラム製品のフローチャート図、および／または、ブロック図を参照して、本開示の態様を説明する。フローチャート図の各ブロック、および／または２次元ブロック図、フローチャート内のブロックの組み合わせ、および／またはブロック図は、コンピュータプログラム命令により実行可能であることは理解されよう。コンピュータまたはその他のプログラム可能なデータ処理装置のプロセッサを介して実行される実行される命令が、フローチャート内および／またはブロック図内の１つまたは複数のブロックにおいて指定された機能／動作を実施するための手段を作成するよう、これらのコンピュータプログラム命令を汎用コンピュータ、専用コンピュータ、またはその他のプログラム可能なデータ処理装置のプロセッサに提供してマシンを生成することができる。
【００５０】
これらの図面のフローチャートおよびブロック図は、本明細書の種々のシステムおよび方法による、システム、方法、およびコンピュータプログラム製品の潜在的な実装形態のアーキテクチャ、機能、および動作を示している。これに関して、フローチャートまたはブロック図内の各ブロックは、特定の論理関数（複数可）を実施するための１つ以上の実行可能な命令を含む、モジュール、セグメント、コードの一部を表すことができる。なお、いくつかの別の実装形態では、ブロック内に示されている機能は、図面で示されている順番とは異なる順番で実行され得る。例えば、連続して示されている２つのブロックを、実際には、ほぼ同時に実行することができる、あるいは、関与する機能によっては、これらのブロックを逆の順番で実行することもできる。なお、ブロック図および／またはフローチャート図の各ブロック、およびブロック図および／またはフローチャート図のブロックの組み合わせは、指定された機能または動作を実行する専用のハードウェアベースのシステム、または専用のハードウェアとコンピュータ命令の組み合わせにより実施可能である。
【００５１】
多くのコンピュータ処理装置を上記に議論する。チップを組み込んだ中央処理装置（ＣＰＵ）、入力／出力部（グラフィック・ユーザ・インターフェース（ＧＵＩ）、メモリ、コンパレータ、プロセッサなどを含む）を含むコンピュータ処理装置が周知であり、米国のテキサス州ランドロックのＤｅｌｌ  Ｃｏｍｐｕｔｅｒ社、米国のカリフォルニア州クパチーノのＡｐｐｌｅ  Ｃｏｍｐｕｔｅｒ社などの製造業者から容易に入手可能である。これらのコンピュータ処理装置は、通常、入力／出力部、電力供給部、プロセッサ、電子記憶装置、配線などを含むが、読者が本明細書の実施形態の最も重要な態様に集中できるようそれらの詳細は省略する。同様に、スキャナや他の同様の周辺装置も、米国コネチカット州ノーウォークのＸｅｒｏｘ  Ｃｏｒｐｏｒａｔｉｏｎから入手可能であり、これらの装置の詳細は、簡潔さと、読者の集中のために、本明細書では議論しない。
【００５２】
本明細書で使用される用語プリンタまたは印刷装置は、デジタル複写機、製本機、ファクシミリ、多機能装置などの、あらゆる目的で印刷出力機能を実行する全ての装置を包含する。プリンタ、印刷エンジンなどの詳細は、当業者にとっては周知であり、提示されている重要な特徴に本開示を集中させるため明細書では詳細に説明しない。本明細書のシステムおよび方法は、カラーおよび白黒で印刷を行う装置、すなわちカラーまたは白黒の画像データを扱う装置を包含することができる。上記の全てのシステムおよび方法は、特に、静電複写方式のマシン、および／または乾式複写方式のマシン、および／または処理に適用可能である。
【００５３】
本明細書で使用される専門用語は、特定のシステムおよび方法を説明する目的のみで用いられており、本開示を限定することを意図していない。本明細書で使用される単数形「ある（ａ）」、「ある（ａｎ）」、および「その（ｔｈｅ）」は、文脈により明らかに示されている場合を除き、複数形を含むことも意図する。「含む（ｃｏｍｐｒｉｓｅｓ）」、「含んでいる（ｃｏｍｐｒｉｓｉｎｇ）」、という用語は、本明細書で使用される場合、記述された特徴、完全体、ステップ、動作、要素、および／または構成要素の存在を指定するが、１つ以上の他の特徴、完全体、ステップ、動作、要素、構成要素、および／または、それらのグループの存在または追加を除外しないことは理解されよう。
【００５４】
さらに、本明細書で使用される「右（ｒｉｇｈｔ）」、「左（ｌｅｆｔ）」、「垂直な（ｖｅｒｔｉｃａｌ）」、「水平な（ｈｏｒｉｚｏｎｔａｌ）」、「頂部（ｔｏｐ）」、「底部（ｂｏｔｔｏｍ）」、「上部の（ｕｐｐｅｒ）」、「下部の（ｌｏｗｅｒ）」、「〜の下方に（ｕｎｄｅｒ）」、「〜の真下に（ｂｅｌｏｗ）」、「〜の下にある（ｕｎｄｅｒｌｙｉｎｇ）」、「〜の上方に（ｏｖｅｒ）」、「〜の上にある（ｏｖｅｒｌｙｉｎｇ）」、「平行な（ｐａｒａｌｌｅｌ）」、「鉛直な（ｐｅｒｐｅｎｄｉｃｕｌａｒ）」などの用語は、（別段の指示がない限り）図面において方向づけられ、示されているように、相対的な位置であることは理解されよう。「〜に接する（ｔｏｕｃｈｉｎｇ）」、「〜上に（ｏｎ）」、「〜に直接接触して（ｉｎ  ｄｉｒｅｃｔ  ｃｏｎｔａｃｔ）」、「隣接する（ａｂｕｔｔｉｎｇ）」、「直接隣接する（ｄｉｒｅｃｔｌｙ  ａｄｊａｃｅｎｔ  ｔｏ）」などの用語は、（他の要素が、記載されている要素を隔てることなく）少なくとも１つの要素が別の要素と物理的に接触していることを意味する。さらに、「自動化される（ａｕｔｏｍａｔｅｄ）」または「自動的に（ａｕｔｏｍａｔｉｃａｌｌｙ）」という用語は、処理が（機械またはユーザによって）開始された後、１つ以上のマシンが、どのユーザからのさらなる入力も受けることなく、その処理を実行することを意味する。
【００５５】
以下の請求項における全てのミーンズまたはステッププラスファンクション要素の対応する構造、材料、動作、および均等物は、具体的に請求された他の請求要素と組み合わせて機能を実行するための任意の構造、材料、または動作を含むことを意図する。本開示の種々のシステムおよび方法の説明は、説明目的で提示されたものであり、開示されたシステムおよび方法を網羅する、あるいは限定することを意図していない。記載されたシステムおよび方法の範囲および趣旨から逸脱することなく、多くの修正形態および変更形態が可能であることは当業者には明らかであろう。本明細書で使用される専門用語は、システムおよび方法の原理、実際の用途、または市場で見られる技術に対する技術的改良を最もうまく説明するために、あるいは、本明細書で開示されているシステムおよび方法を当業者に理解させるために、選ばれたものである。
【図１】
2016220199.tif 000003
【図２】
2016220199.tif 000004
【図３】
2016220199.tif 000005
【図４】
2016220199.tif 000006
【図５】
2016220199.tif 000007